【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
方法であって、
伝送側デバイスに通信可能に結合された近接センサによって、物体が前記伝送側デバイスに近接しているかどうかを感知することと、
前記送信側デバイスまたはその一部がヒト身体の一部に近接しているかどうかを決定することであって、少なくとも、
前記送信側デバイスまたはその一部が前記送信側デバイスに通信可能に結合されている画像感知システムの視野内にあるかどうかを決定することと、
前記画像感知システムによって捕捉されるデータを分析することにより、部分的または全体的に、前記送信側デバイスまたは前記その一部が前記画像感知システムの前記視野内にあるかどうかを決定することの結果に基づいて、前記伝送側デバイスまたは前記その一部が前記ヒト身体の前記一部に近接しているかどうかを決定することと
によって行われる、ことと、
部分的または全体的に、前記伝送側デバイスまたは前記その一部が前記ヒト身体の前記一部に近接しているかどうかを決定することの結果に基づいて、前記伝送側デバイスに動作可能に結合されたアンテナの伝送側出力電力を閾値出力電力以下であるように調節することと
を含む、方法。
【請求項２】
方法であって、
伝送側デバイスに通信可能に結合された近接センサによって、前記伝送側デバイスに近接した物体を感知することと、
前記伝送側デバイスに動作可能に結合されたアンテナの送信機出力電力が閾値出力電力より大きいかどうかを決定することと、
前記伝送側デバイスに通信可能に結合されでいる画像感知システムから画像データを取得することと、
前記送信側デバイスがヒト身体の一部に近接しているかどうかを決定することであって、少なくとも、
前記送信側デバイスまたはその一部が前記画像感知システムの視野内にあるかどうかを決定することと、
前記画像感知システムによって捕捉されるデータを分析することにより、部分的または全体的に、前記送信側デバイスまたは前記その一部が前記画像感知システムの前記視野内にあるかどうかを決定することの結果に基づいて、前記伝送側デバイスまたは前記その一部が前記ヒト身体の前記一部に近接しているかどうかを決定することと
によって行われる、ことと、
少なくとも部分的に、前記伝送側デバイスが前記ヒト身体の前記一部に近接しているかどうかを決定することの結果に基づいて、前記送信機出力電力を前記閾値出力電力以下であるように調節することと
を含む、方法。
【請求項３】
前記アンテナが前記送信機出力電力を伝送するように構成されているかどうかを決定することをさらに含む、請求項２に記載の方法。
【請求項４】
前記近接センサが前記伝送側デバイスに近接した前記物体を感知しない場合、前記アンテナの前記送信機出力電力を調節しないことをさらに含む、請求項２に記載の方法。
【請求項５】
前記アンテナの前記送信機出力電力が前記閾値出力電力より大きくないことが決定された場合、ヒト身体近接フラグが設定されているかどうかを決定することをさらに含む、請求項２に記載の方法。
【請求項６】
前記ヒト身体近接フラグが設定されていることが決定された場合、前記方法の実施を所定の時間量遅らせることをさらに含む、請求項５に記載の方法。
【請求項７】
前記ヒト身体近接フラグが設定されていないことが決定された場合、前記アンテナの前記送信機出力電力を調節しないことをさらに含む、請求項５に記載の方法。
【請求項８】
前記画像データが取得された後、ヒト身体近接フラグをクリアすることをさらに含む、請求項２に記載の方法。
【請求項９】
前記伝送側デバイスが前記ヒト身体の前記一部に近接しているかどうかを決定することが確認されることをさらに含む、請求項２に記載の方法。
【請求項１０】
前記伝送側デバイスが前記カメラのＦＯＶ内にないことが確認されることができない場合、ヒト身体近接フラグを設定することをさらに含む、請求項９に記載の方法。
【請求項１１】
前記伝送側デバイスが前記ヒト身体の前記一部に近接していないことが決定された場合、前記アンテナの前記送信機出力電力を調節しないことをさらに含む、請求項２に記載の方法。
【請求項１２】
前記伝送側デバイスが前記ヒト身体の前記一部に近接していることが決定された場合、または、前記伝送側デバイスが前記ヒト身体の前記一部に近接しているかどうかが決定されることができない場合、ヒト身体近接フラグを設定することをさらに含む、請求項２に記載の方法。
【請求項１３】
前記近接センサは、光学センサ、容量タッチセンサ、または機械的ボタンセンサを備える、請求項２に記載の方法。
【請求項１４】
前記アンテナは、前記伝送側デバイスの内部または外部にある、請求項２に記載の方法。
【請求項１５】
前記アンテナは、無線周波数（ＲＦ）信号を伝送するように構成されている、請求項２に記載の方法。
【請求項１６】
前記画像感知システムは、ユーザデバイスに動作可能に結合されている、請求項２に記載の方法。
【請求項１７】
前記ユーザデバイスは、頭部搭載型ディスプレイを備える、請求項１６に記載の方法。
【請求項１８】
システムであって、
伝送側デバイスと、
前記伝送側デバイスに動作可能に結合されたアンテナと、
前記伝送側デバイスに通信可能に結合され、前記伝送側デバイスに近接した物体を感知する近接センサと、
前記伝送側デバイスに通信可能に結合され、画像データを捕捉する画像感知システムと、
プロセッサと
を備え、
前記プロセッサは、少なくとも
前記アンテナの送信機出力電力が閾値出力電力より大きいかどうかを決定することと、
前記送信側デバイスがヒト身体の一部に近接しているかどうかを決定することであって、少なくとも、
前記送信側デバイスまたはその一部が前記画像感知システムの視野内にあるかどうかを決定することと、
前記画像感知システムによって捕捉されるデータを分析することにより、部分的または全体的に、前記送信側デバイスまたは前記その一部が前記画像感知システムの前記視野内にあるかどうかを決定することの結果に基づいて、前記伝送側デバイスまたは前記その一部が前記ヒト身体の前記一部に近接しているかどうかを決定することと
によって行われる、ことと、
少なくとも部分的に、前記伝送側デバイスが前記ヒト身体の前記一部に近接しているかどうかを決定することの結果に基づいて、前記送信機出力電力を前記閾値出力電力以下であるように調節することと
を行うように構成されている、システム。
【請求項１９】
前記プロセッサは、前記アンテナが前記送信機出力電力を伝送するように構成されているかどうかを決定する、請求項１８に記載のシステム。
【請求項２０】
前記プロセッサは、前記伝送側デバイスに前記ヒト身体の前記一部に近接していないことが確認された場合、前記アンテナの前記送信機出力電力を調節しない、請求項１８に記載のシステム。
【請求項２１】
前記プロセッサは、前記プロセッサが前記アンテナの前記送信機出力電力が前記閾値出力電力より大きくないことを決定した場合、ヒト身体近接フラグが設定されているかどうかを決定する、請求項１８に記載のシステム。
【請求項２２】
前記プロセッサの実施は、前記プロセッサが前記ヒト身体近接フラグが設定されていることを決定した場合、所定の時間量遅らせられる、請求項２１に記載のシステム。
【請求項２３】
前記プロセッサは、前記プロセッサが前記ヒト身体近接フラグが設定されていないことを決定した場合、前記アンテナの前記送信機出力電力を調節しない、請求項２１に記載のシステム。
【請求項２４】
前記プロセッサは、前記画像データが捕捉された後、ヒト身体近接フラグをクリアする、請求項１８に記載のシステム。
【請求項２５】
前記プロセッサは、前記伝送側デバイスが前記ヒト身体の前記一部に近接していることが確認されることができるかどうかを決定する、請求項１８に記載のシステム。
【請求項２６】
前記プロセッサは、前記プロセッサが前記伝送側デバイスが前記ヒト身体の前記一部に近接していないことが確認されることができないことを決定した場合、前記アンテナの前記送信機出力電力を閾値出力電力以下であるように調節する、請求項２５に記載のシステム。
【請求項２７】
前記プロセッサは、前記プロセッサが前記伝送側デバイスが前記ヒト身体の前記一部に近接していないことを決定した場合、前記アンテナの前記送信機出力電力を調節しない、請求項１８に記載のシステム。
【請求項２８】
前記プロセッサは、前記プロセッサが前記伝送側デバイスが前記ヒト身体の前記一部に近接していることを決定した場合、または、前記プロセッサが前記伝送側デバイスが前記ヒト身体の前記一部に近接していないかどうかを確認することができない場合、ヒト身体近接フラグを設定する、請求項１８に記載のシステム。
【請求項２９】
前記近接センサは、光学センサ、容量タッチセンサ、または機械的ボタンセンサを備える、請求項１８に記載のシステム。
【請求項３０】
前記アンテナは、前記伝送側デバイスの内部または外部にある、請求項１８に記載のシステム。
【請求項３１】
前記アンテナは、無線周波数（ＲＦ）信号を伝送するように構成されている、請求項１８に記載のシステム。
【請求項３２】
前記画像感知システムは、ユーザデバイスに動作可能に結合されている、請求項１８に記載のシステム。
【請求項３３】
前記ユーザデバイスは、頭部搭載型ディスプレイを備える、請求項３２に記載のシステム。
【手続補正２】
【補正対象書類名】明細書
【補正対象項目名】００４５
【補正方法】変更
【補正の内容】
【００４５】
特徴、機能、および利点は、本開示の種々の実施形態では、独立して達成されることができるか、または、それらは、さらに他の実施形態では、組み合わせられ得る。
本願明細書は、例えば、以下の項目も提供する。
（項目１）
送信機出力電力（ＰＴＸ）を調節する方法であって、前記方法は、
伝送側デバイスに通信可能に結合された近接センサによって、物体が前記伝送側デバイスに近接しているかどうかを感知することと、
前記近接センサが前記伝送側デバイスに前記物体が近接していることを感知した場合、カメラからの画像を分析し、前記伝送側デバイスがヒト身体の一部に近接しているかどうかを決定することと、
前記伝送側デバイスが前記ヒト身体の前記一部に近接していることが決定された場合、または、前記伝送側デバイスがヒト身体の一部に近接しているかどうかが決定されることができない場合、前記伝送側デバイスに動作可能に結合されたアンテナの前記ＰＴＸを比吸収率（ＳＡＲ）閾値出力電力（ＰＳＡＲＭＡＸ）以下であるように調節することと
を含む、方法。
（項目２）
送信機出力電力（ＰＴＸ）を調節する方法であって、前記方法は、
伝送側デバイスに通信可能に結合された近接センサによって、前記伝送側デバイスに近接した物体を感知することと、
前記近接センサが前記伝送側デバイスに近接した前記物体を感知した場合、前記伝送側デバイスに動作可能に結合されたアンテナの前記ＰＴＸが比吸収率（ＳＡＲ）閾値出力電力（ＰＳＡＲＭＡＸ）より大きいかどうかを決定することと、
カメラからの画像を取得することと、
前記アンテナの前記ＰＴＸが前記ＰＳＡＲＭＡＸより大きいことが決定された場合、前記画像を分析し、前記伝送側デバイスがヒト身体の一部に近接しているかどうかを決定することと、
前記伝送側デバイスが前記ヒト身体の前記一部に近接していることが決定された場合、または、前記伝送側デバイスがヒト身体の一部に近接しているかどうかが決定されることができない場合、前記アンテナの前記ＰＴＸをＰＳＡＲＭＡＸ以下であるように調節することと
を含む、方法。
（項目３）
前記アンテナが伝送中であるかどうかを決定することをさらに含む、項目２に記載の方法。
（項目４）
前記近接センサが前記伝送側デバイスに近接した前記物体を感知しない場合、前記アンテナの前記ＰＴＸを調節しないことをさらに含む、項目２に記載の方法。
（項目５）
前記アンテナの前記ＰＴＸが前記ＰＳＡＲＭＡＸより大きくないことが決定された場合、ヒト身体近接フラグが設定されているかどうかを決定することをさらに含む、項目２に記載の方法。
（項目６）
前記ヒト身体近接フラグが設定されていることが決定された場合、前記方法の実施を所定の時間量遅らせることをさらに含む、項目５に記載の方法。
（項目７）
前記ヒト身体近接フラグが設定されていないことが決定された場合、前記アンテナのＰＴＸを調節しないことをさらに含む、項目５に記載の方法。
（項目８）
前記画像の取得後、ヒト身体近接フラグをクリアすることをさらに含む、項目２に記載の方法。
（項目９）
前記画像を分析することによって、前記伝送側デバイスが前記カメラの視野（ＦＯＶ）内にあるかどうかを決定することをさらに含む、項目２に記載の方法。
（項目１０）
前記伝送側デバイスが前記カメラのＦＯＶ内にないことが決定された場合、前記アンテナの前記ＰＴＸをＰＳＡＲＭＡＸ以下であるように調節することをさらに含む、項目９に記載の方法。
（項目１１）
前記伝送側デバイスが前記ヒト身体の一部に近接していないことが決定された場合、前記アンテナの前記ＰＴＸを調節しないことをさらに含む、項目２に記載の方法。
（項目１２）
前記伝送側デバイスが前記ヒト身体の前記一部に近接していることが決定された場合、または、前記伝送側デバイスがヒト身体の一部に近接しているかどうかが決定されることができない場合、ヒト身体近接フラグを設定することをさらに含む、項目２に記載の方法。
（項目１３）
前記近接センサは、光学センサ、容量タッチセンサ、または機械的ボタンセンサのうちの１つである、項目２に記載の方法。
（項目１４）
前記アンテナは、前記伝送側デバイスの内部または外部のうちの１つにある、項目２に記載の方法。
（項目１５）
前記アンテナは、無線周波数（ＲＦ）信号を伝送している、項目２に記載の方法。
（項目１６）
前記カメラは、ユーザデバイスに動作可能に結合されている、項目２に記載の方法。
（項目１７）
前記ユーザデバイスは、頭部搭載型ディスプレイである、項目１６に記載の方法。
（項目１８）
送信機出力電力（ＰＴＸ）を調節するためのシステムであって、前記システムは、
伝送側デバイスと、
前記伝送側デバイスに動作可能に結合されたアンテナと、
前記伝送側デバイスに通信可能に結合され、前記伝送側デバイスに近接した物体を感知する近接センサと、
画像を取得するためのカメラと、
プロセッサと
を備え、
前記プロセッサは、
前記近接センサが前記伝送側デバイスに近接した前記物体を感知した場合、前記アンテナの前記ＰＴＸが比吸収率（ＳＡＲ）閾値出力電力（ＰＳＡＲＭＡＸ）より大きいかどうかを決定することと、
前記アンテナのＰＴＸが前記ＰＳＡＲＭＡＸより大きいことが決定された場合、前記画像を分析し、前記伝送側デバイスがヒト身体の一部に近接しているかどうかを決定することと、
前記伝送側デバイスが前記ヒト身体の前記一部に近接していることが決定された場合、または、前記伝送側デバイスがヒト身体の一部に近接しているかどうかが決定されることができない場合、前記アンテナの前記ＰＴＸをＰＳＡＲＭＡＸ以下であるように調節することと
を行う、システム。
（項目１９）
前記プロセッサは、前記アンテナが伝送中であるかどうかを決定する、項目１８に記載のシステム。
（項目２０）
前記プロセッサは、前記近接センサが前記伝送側デバイスに近接した前記物体を感知しない場合、前記アンテナの前記ＰＴＸを調節しない、項目１８に記載のシステム。
（項目２１）
前記プロセッサは、前記プロセッサが前記アンテナの前記ＰＴＸが前記ＰＳＡＲＭＡＸより大きくないことを決定した場合、ヒト身体近接フラグが設定されているかどうかを決定する、
項目１８に記載のシステム。
（項目２２）
前記プロセッサの実施は、前記プロセッサが前記ヒト身体近接フラグが設定されていることを決定した場合、所定の時間量遅らせられる、項目２１に記載のシステム。
（項目２３）
前記プロセッサは、前記プロセッサが前記ヒト身体近接フラグが設定されていないことを決定した場合、前記アンテナの前記ＰＴＸを調節しない、項目２１に記載のシステム。
（項目２４）
前記プロセッサは、前記カメラが前記画像を取得後、ヒト身体近接フラグをクリアする、項目１８に記載のシステム。
（項目２５）
前記プロセッサは、前記画像を分析することによって、前記伝送側デバイスが前記カメラの視野（ＦＯＶ）内にあるかどうかを決定する、項目１８に記載のシステム。
（項目２６）
前記プロセッサは、前記プロセッサが前記伝送側デバイスが前記カメラのＦＯＶ内にないことを決定した場合、前記アンテナの前記ＰＴＸをＰＳＡＲＭＡＸ以下であるように調節する、項目２５に記載のシステム。
（項目２７）
前記プロセッサは、前記プロセッサが前記伝送側デバイスが前記ヒト身体の前記一部に近接していないことを決定した場合、前記アンテナの前記ＰＴＸを調節しない、項目１８に記載のシステム。
（項目２８）
前記プロセッサは、前記プロセッサが前記伝送側デバイスが前記ヒト身体の前記一部に近接していることを決定した場合、または、前記伝送側デバイスがヒト身体の一部に近接しているかどうかが決定されることができない場合、ヒト身体近接フラグを設定する、項目１８に記載のシステム。
（項目２９）
前記近接センサは、光学センサ、容量タッチセンサ、または機械的ボタンセンサのうちの１つである、項目１８に記載のシステム。
（項目３０）
前記アンテナは、前記伝送側デバイスの内部または外部のうちの１つにある、項目１８に記載のシステム。
（項目３１）
前記アンテナは、無線周波数（ＲＦ）信号を伝送している、項目１８に記載のシステム。
（項目３２）
前記カメラは、ユーザデバイスに動作可能に結合されている、項目１８に記載のシステム。
（項目３３）
前記ユーザデバイスは、頭部搭載型ディスプレイである、項目３２に記載のシステム。
（項目３４）
コンピュータ実装方法であって、前記方法は、
少なくとも１つのセンサから出力データを取得することであって、前記少なくとも１つのセンサは、コンピューティングデバイスの環境に関して前記コンピューティングデバイスの少なくとも１つの無線周波数（ＲＦ）アンテナの１つ以上の条件を監視するように構成されている、ことと、
前記少なくとも１つのＲＦアンテナの現在の動作パラメータの下で、１つ以上の物体が１つ以上の閾値を超えるＲＦエネルギーのレベルにさらされているような様式において、前記コンピューティングデバイスが前記コンピューティングデバイスの前記環境内に位置している前記１つ以上の物体に対して位置付けられていることを前記少なくとも１つのセンサから取得される出力データが示すことを決定することと、
前前記少なくとも１つのＲＦアンテナの現在の動作パラメータの下で、前記１つ以上の物体が１つ以上の閾値を超えるＲＦエネルギーのレベルにさらされていることを前記少なくとも１つのセンサから取得される前記出力データが示すことを決定することに応答して、１つ以上の画像を少なくとも１つのカメラから取得することと、
前記１つ以上の画像を処理することと、
前記少なくとも１つのカメラから取得される前記１つ以上の画像を処理することに基づいて、前記１つ以上の画像が前記１つ以上の物体のうちのどれもが生物学的にヒトではないことを確認する働きをしていないことを決定することと、
前記１つ以上の画像が前記１つ以上の物体のうちのどれもが生物学的にヒトではないことを確認する働きをしていないことを決定することに応答して、前記少なくとも１つのアンテナがＲＦ信号を伝送するための電力の最大レベルを調節することと
を含む、方法。
（項目３５）
前記少なくとも１つのカメラから取得される前記１つ以上の画像を処理することは、１つ以上の画像認識プロセスを実施し、前記１つ以上の画像に示される特定の物体を識別することを含む、項目３４に記載の方法。
（項目３６）
前記１つ以上の画像が前記１つ以上の物体のうちのどれもが生物学的にヒトではないことを確認する働きをしていないことを決定することは、前記少なくとも１つのカメラから取得される前記１つ以上の画像を処理することに基づいて、前記コンピューティングデバイスが前記１つ以上の画像において示されていないと識別されることを決定することを含む、項目３５に記載の方法。
（項目３７）
前記１つ以上の画像が前記１つ以上の物体のうちのどれもが生物学的にヒトではないことを確認する働きをしていないことを決定することは、
前記少なくとも１つのカメラから取得される前記１つ以上の画像を処理することに基づいて、前記１つ以上の物体のうちの少なくとも１つがヒト身体またはその一部であると識別されることを決定することを含む、項目３５に記載の方法。
（項目３８）
前記１つ以上の画像が前記１つ以上の物体のうちのどれもが生物学的にヒトではないことを確認する働きをしていないことを決定することは、
前記少なくとも１つのカメラから取得される前記１つ以上の画像を処理することに基づいて、前記１つ以上の物体のうちの少なくとも１つが、識別不能であること、または前記１つ以上の画像において示されていると識別されないことを決定することを含む、項目３５に記載の方法。
（項目３９）
前記少なくとも１つのセンサは、前記少なくとも１つのアンテナと前記コンピューティングデバイスの前記環境内に位置している物理的物体との間の距離を監視するように構成された近接センサを備えている、項目３４に記載の方法。
（項目４０）
前記少なくとも１つのＲＦアンテナの現在の動作パラメータの下で、１つ以上の物体が１つ以上の閾値を超えるＲＦエネルギーのレベルにさらされているような様式において、前記コンピューティングデバイスが前記コンピューティングデバイスの前記環境内に位置している前記１つ以上の物体に対して位置付けられていることを前記少なくとも１つのセンサから取得される前記出力データが示すことを決定することは、
前記少なくとも１つのセンサから取得される前記出力データをルックアップテーブルに対して評価することと、
前記評価結果に基づいて、前記少なくとも１つのＲＦアンテナの現在の動作パラメータの下で、前記１つ以上の物体が１つ以上の閾値を超えるＲＦエネルギーのレベルにさらされているように、前記コンピューティングデバイスが前記１つ以上の物体に十分に近接して位置付けられていることを決定することと
を含む、項目３９に記載の方法。
（項目４１）
前記少なくとも１つのセンサは、前記コンピューティングデバイスの前記環境に対する前記コンピューティングデバイスの向きを監視するように構成された向きセンサをさらに備えている、項目３９に記載の方法。
（項目４２）
コンピューティングシステムであって、前記コンピューティングシステムは、
物理的筐体構造と、
複数の電子ハードウェアコンポーネントと
を備え、
前記複数の電子ハードウェアコンポーネントのうちの少なくとも一部は、前記物理的筐体構造内に含まれるか、またはそれに取り付けられており、前記複数の電子ハードウェアコンポーネントは、
無線周波数（ＲＦ）信号を伝送するための少なくとも１つのアンテナと、
前記物理的筐体構造の環境に対する前記少なくとも１つのアンテナの１つ以上の条件を監視するように構成された少なくとも１つのセンサと、
少なくとも１つのカメラと、
前記少なくとも１つのアンテナ、前記少なくとも１つのセンサ、および前記少なくとも１つのカメラに通信可能に結合された少なくとも１つのプロセッサと
を備え、
前記少なくとも１つのプロセッサは、
前記少なくとも１つのセンサから出力データを取得することと、
前記少なくとも１つのアンテナの現在の動作パラメータの下で、１つ以上の物体が１つ以上の閾値を超えるＲＦエネルギーのレベルにさらされているような様式において、前記物理的筐体構造が前記物理的筐体構造の前記環境内に位置している前記１つ以上の物体に対して位置付けられていることを前記少なくとも１つのセンサから取得される出力データが示すかどうかを決定することと、
前記少なくとも１つのアンテナの現在の動作パラメータの下で、前記１つ以上の物体が１つ以上の閾値を超えるＲＦエネルギーのレベルにさらされていることを示すことを前記少なくとも１つのセンサから取得される出力データが決定することに応答して、１つ以上の画像を前記少なくとも１つのカメラから取得することと、
前記少なくとも１つのカメラから取得される１つ以上の画像を処理し、前記１つ以上の画像が前記１つ以上の物体のうちのどれもが生物学的にヒトではないことを確認する働きをしているかどうかを決定することと、
前記１つ以上の画像が前記１つ以上の物体のうちのどれもが生物学的にヒトではないことを確認する働きをしているかどうかを決定することに基づいて、前記少なくとも１つのアンテナがＲＦ信号を伝送するための電力の最大レベルを決定することと、
前記決定された電力の最大レベル以下の電力のレベルでＲＦ信号を伝送するように前記少なくとも１つのアンテナを制御することと
を行うように構成されている、コンピューティングシステム。
（項目４３）
前記少なくとも１つのプロセッサは、前記物理的筐体構造内に含まれるか、またはそれに取り付けられた前記複数の電子ハードウェアコンポーネントのうちの前記一部に属さない、項目４２に記載のコンピューティングシステム。
（項目４４）
前記少なくとも１つのカメラは、前記物理的筐体構造内に含まれるか、またはそれに取り付けられた前記複数の電子ハードウェアコンポーネントのうちの前記一部に属さない、項目４２に記載のコンピューティングシステム。
（項目４５）
前記少なくとも１つのカメラは、前記物理的筐体構造から物理的に場所を移されたユーザデバイス内に含まれるか、またはそれに取り付けられている、項目４４に記載のコンピューティングシステム。
（項目４６）
前記ユーザデバイスは、ヘッドセットを備えている、項目４５に記載のコンピューティングシステム。
（項目４７）
前記ユーザデバイスは、ハンドヘルドコントローラを備えている、項目４５に記載のコンピューティングシステム。
（項目４８）
前記少なくとも１つのセンサは、前記物理的筐体構造の前記環境に対する前記少なくとも１つのアンテナの１つ以上の条件を監視するように構成され、前記少なくとも１つのアンテナは、前記物理的筐体構造内に含まれるか、またはそれに取り付けられた前記複数の電子ハードウェアコンポーネントのうちの前記一部に属する、項目４４に記載のコンピューティングシステム。
（項目４９）
前記複数の電子ハードウェアコンポーネントは、前記少なくとも１つのプロセッサに通信可能に結合された少なくとも１つのユーザインターフェースコンポーネントをさらに備えている、項目４２に記載のコンピューティングシステム。
（項目５０）
前記少なくとも１つのプロセッサは、前記１つ以上の画像が前記１つ以上の物体のうちのどれもが生物学的にヒトではないことを確認する働きをしていないことを決定することに応答して、前記少なくとも１つのユーザインターフェースコンポーネントを通して出力するための１つ以上のアラートを提供するようにはさらに構成されている、項目４２に記載のコンピューティングシステム。